(57)【要約】　　　（修正有）【課題】耐震性が高く、かつ見栄えのよい収納棚を提供する。【解決手段】（ａ）互いに離間して垂直方向に延設された一対の側板１，２と、（ｂ）該一対の側板のあいだの上部において、所定の高さに着脱自在に固着された上部筐体３と、（ｃ）該一対の側板のあいだの下部において、所定の高さに着脱自在に固着された下部筐体４と、（ｄ）前記上部筐体と天井とのあいだに形成される隙間を隠すための上部目隠し部材５と、（ｅ）前記下部筐体と床面とのあいだに形成される隙間を隠すための下部目隠し部材６とからなる収納棚。【選択図】　　　　図１
0003097447.tif 000002
【実用新案登録請求の範囲】
【請求項１】
（ａ）互いに離間して垂直方向に延設された一対の側板と、（ｂ）該一対の側板のあいだの上部において、所定の高さに着脱自在に固着された上部筐体と、
（ｃ）該一対の側板のあいだの下部において、所定の高さに着脱自在に固着された下部筐体と、
（ｄ）前記上部筐体と天井とのあいだに形成される隙間を隠すための上部目隠し部材と、
（ｅ）前記下部筐体と床面とのあいだに形成される隙間を隠すための下部目隠し部材
とからなる収納棚。
【請求項２】
前記一対の側板、上部筐体および下部筐体のそれぞれの前縁を隠すための前部目隠し部材をさらに備えてなる請求項１記載の収納棚。
【請求項３】
前記上部目隠し部材が、前記上部筐体の天板の下方に位置する水平板部と、該天板の前後両側に位置する垂直板部とからなる請求項１または２記載の収納棚。
【請求項４】
前記上部目隠し部材が、高さ調整ができるように、前記上部筐体の天板にねじで固着されてなる請求項３記載の収納棚。
【請求項５】
前記上部筐体の奥行きが、当該上部筐体の後部に天井の梁が収容し得る空間部が形成されるように、前記側板よりも幅狭に設定されてなる請求項１、２、３または４記載の収納棚。
【考案の詳細な説明】
【０００１】
【考案の属する技術分野】
本考案は収納棚に関する。さらに詳しくは、たとえばマンションのリビングや居室の壁面に設置するのに適しており、耐震性が高く、かつ見栄えのよい収納棚に関する。
【０００２】
【従来の技術および考案が解決しようとする課題】
従来より、部屋の壁際や家具に隣接する場所などに設置される収納棚として、ボックス式の収納棚が広く利用されている。そのような収納棚のうち縦長タイプのものは、地震などの大きな振動を受けたときに倒れやすいという問題がある。また、収納棚の天板と天井とのあいだ、および収納棚の底板と床面とのあいだに隙間が生じるので、見栄えがわるいという問題がある。
【０００３】
一方、作り付けの収納棚の場合は、前述した問題は解消し得るものの、コストが高くつくとともに家具の配置替えや部屋の模様替えを簡単にすることができないという問題がある。
【０００４】
本考案はかかる問題を解消するためになされたものであり、耐震性が高く、かつ見栄えがよく、さらには組み合わせの自由度が高いので簡単に効率のよい収納空間を実現させることができる収納棚を提供することを目的とする。
【０００５】
【課題を解決するための手段】
本考案の収納棚は、（ａ）互いに離間して垂直方向に延設された一対の側板と、
（ｂ）該一対の側板のあいだの上部において、所定の高さに着脱自在に固着された上部筐体と、
（ｃ）該一対の側板のあいだの下部において、所定の高さに着脱自在に固着された下部筐体と、
（ｄ）前記上部筐体と天井とのあいだに形成される隙間を隠すための上部目隠し部材と、
（ｅ）前記下部筐体と床面とのあいだに形成される隙間を隠すための下部目隠し部材とからなることを特徴としている。
【０００６】
前記一対の側板、上部筐体および下部筐体のそれぞれの前縁を隠すための前部目隠し部材をさらに備えてなるのが好ましい。
【０００７】
前記上部目隠し部材が、前記上部筐体の天板の下方に位置する水平板部と、該天板の前後両側に位置する垂直板部とからなるのが好ましい。
【０００８】
前記上部目隠し部材が、高さ調整ができるように、前記上部筐体の天板にねじで固着されてなるのが好ましい。
【０００９】
前記上部筐体の奥行きが、当該上部筐体の後部に天井の梁が収容し得る空間部が形成されるように、前記側板よりも幅狭に設定されてなるのが好ましい。
【００１０】
【考案の実施の形態】
つぎに図面を参照しながら本考案の収納棚をさらに詳細に説明する。図１は本考案の収納棚の一実施の形態の斜視説明図、図２は図１の収納棚の正面図、図３は図１の収納棚の平面図、図４は図２のＩＶ−ＩＶ断面図、図５は本考案の収納棚の他の実施の形態の断面説明図および図６は図５に示される収納棚の他の使用例を示す断面説明図である。
【００１１】
本実施の形態の収納棚は、図１〜４に示されるように、互いに離間して垂直方向に延設された一対の側板１、２と、一対の側板１、２のあいだの上部において、所定の高さに着脱自在に固着された上部筐体３と、一対の側板１、２のあいだの下部において、所定の高さに着脱自在に固着された下部筐体４と、上部筐体３と天井Ｃとのあいだに形成される隙間を隠すための上部目隠し部材５と、下部筐体４と床面Ｆとのあいだに形成される隙間を隠すための下部目隠し部材６とから構成されている。
【００１２】
一対の側板１、２には、それぞれ高さ方向に所定の間隔で複数個の貫通孔７が形成されている。また、上部筐体３および下部筐体４のそれぞれの側面には、前記貫通孔７に対応し得る位置に複数のねじ孔８が形成されている。したがって、上部筐体３および下部筐体４のねじ孔８を任意の高さの貫通孔７に合わせたのち、ねじ（図示せず）を貫通孔７を通してねじ孔８に螺入することにより、上部筐体３および下部筐体４を側板１、２に固定することができる。それにより、上部筐体３を天井Ｃに接触するか、またはほぼ接触するぐらいまで接近させて固定することができる。
【００１３】
また、これらの筐体３、４と同様に、収納棚の所望の高さに１枚または複数枚の仕切り板２１をねじで固定するか、または貫通孔７に圧入され、その一部が両側板１、２間に突出した状態のピン（図示せず）の上に載置するようにしてもよい。ピンを利用する場合、仕切り板２１の裏面にピンが当接する位置に対応して当該ピンがはまる大きさの凹所を形成しておけば、仕切り板２１のズレを防ぐことができる。
【００１４】
また、一対の側板１、２、上部筐体３、および下部筐体４のそれぞれの前縁には、前部目隠し部材９が設けられているため、図２に示されるように、側板１および２、ならびに上下の筐体３および４のそれぞれの前縁における段差を隠すことができ、美観が向上する。前部目隠し部材９は、天井Ｃから床面Ｆまでの距離とほぼ同じ長さを有しており、断面コの字状の合成樹脂製の長尺のカバーなどからなり、一対の側板１、２の前縁に嵌合されている。この前部目隠し部材９は、取り外しが容易であり、部屋の種類や内装材に合わせて交換することにより、デザイン性ないしは装飾性を高めることができる。
【００１５】
上部目隠し部材５は、上部筐体３の天板１０の下方に位置する水平板部５ａと、天板１０の前後両側に位置する垂直板部５ｂ、５ｃとからなり、上部筐体３の背板２０と天板１０とのあいだに挿入される垂直板部５ｃによって案内されながら上下に移動することができる。
【００１６】
上部目隠し部材５の高さは、調節ねじ１１を手で回転させることによって調節することができる。調節ねじ１１は、手で把持することができる程度の大きさの合成樹脂製のグリップ１１ａ（図１参照）を有している。調節ねじ１１のねじ部は、上部目隠し部材５の貫通孔５ｄを貫通して、天板１０に固着されためねじ付き円筒状部材１２に螺合している。したがって、上部筐体３を天井Ｃに最も近い位置で固定したときに、天板１０と天井Ｃとのあいだに隙間１３（図４参照）ができるが、調節ねじ１１を操作して上部目隠し部材５を天井Ｃに接触する高さまで上昇させることにより、隙間１１を隠すことができ、見栄えがよくなる。さらに、耐震性が大幅に向上し、収納棚が地震などの大きな振動を受けても倒れる心配がなくなる。
【００１７】
同様に、下部目隠し部材６は、下部筐体４の底板１４上方に位置する水平板部６ａと、底板１４の前後両側に位置する垂直板部６ｂ、６ｃとからなり、下部筐体４の背板２２と底板１４とのあいだに挿入される垂直板部６ｃによって案内されながら上下に移動することができる。したがって、底板１４を覆うように、下部目隠し部材６を落とし込むことにより、垂直板部６ｂ、６ｃが床面Ｆに接触し、その結果、隙間１５を隠すことができ、見栄えがよくなる。
【００１８】
また、建物の構造上、天井に沿って梁の一部が居室内に突出している場所もある。このような場所では、収納棚の上部が梁に干渉するため、従来では、梁のある場所を避けて収納棚を設置せざるを得なかった。
【００１９】
そこで、本考案の他の実施の形態である、梁のある場所でも設置できる収納棚では、図５に示されるように、上部筐体３の奥行きが、当該上部筐体３の後部に天井Ｃと壁Ｗとの境目に延びる梁Ｂ１を収容し得る空間部１６が形成されるように設定されている。すなわち、上部筐体３が、側板１、２よりも幅狭にされている。なお図５において、図２における符号と同一の符号が付された部分は、図２に示される部分と同一のものを示している。
【００２０】
図５に示される実施の形態では、収納棚を壁Ｗに沿って設置したときに梁Ｂ１が空間部１６に収容されるため、収納棚の上部が梁Ｂ１に干渉することがない。
【００２１】
図６は図５に示される収納棚の他の使用例を示しており、天井高が図５に示される場合より低いため、上部筐体３の位置を下方にずらしている。他は図５に示される例と同様である。
【００２２】
【考案の効果】
本考案によれば、上部目隠し部材を天井に接触するか、またはほぼ接触するぐらいまで接近させることができるため、耐震性が大幅に向上し、収納棚が地震などの大きな振動を受けても倒れる心配がなくなる。
【００２３】
しかも、上部筐体の天板と天井とのあいだ、および下部筐体の底板と床面とのあいだの隙間を上部および下部目隠し部材によって隠すことができるため、天井および床面とのあいだのすき間が見えなくなり、作り付けの収納棚と同等の見栄えを得ることができる。
【００２４】
さらに、側板間の幅や側板の奥行の寸法などをユニット化することにより、簡単に種々の組み合わせを実現することができ、効率のよい収納空間を提供することができる。
【図面の簡単な説明】
【図１】本考案の収納棚の一実施の形態の斜視説明図である。
【図２】図１の収納棚の正面図である。
【図３】図１の収納棚の平面図である。
【図４】図２のＩＶ−ＩＶ断面図である。
【図５】本考案の収納棚の他の実施の形態の断面説明図である。
【図６】図５に示される収納棚の他の使用例を示す断面説明図である。
【符号の説明】
１、２　側板
３　上部筐体
４　下部筐体
５　上部目隠し部材
６　下部目隠し部材
【図１】
0003097447.tif 000003
【図２】
0003097447.tif 000004
【図３】
0003097447.tif 000005
【図４】
0003097447.tif 000006
【図５】
0003097447.tif 000007
【図６】
0003097447.tif 000008